(57)【特許請求の範囲】
【請求項１】
遊技球が流下可能な遊技領域を前面に有した遊技板と、
前記遊技領域内に設けられ、遊技球が入球すると遊技者に特典が付与される入賞口と、を備えた遊技機において、
上方に開口した第１の前記入賞口と、前記第１の入賞口に隣接して常時開放した第２の前記入賞口とを有して、前記第１の入賞口と前記第２の入賞口に入球した遊技球を共通のセンサで検出する複合入賞装置と、
前記第１の入賞口を開閉する開閉扉と、
前記複合入賞装置の上部に形成され、前記第１の入賞口を閉じた前記開閉扉を少なくとも一部に含んで横方向に傾斜し、遊技球を転動させる傾斜転動面と、
前記複合入賞装置の側方側に設けられて、前記傾斜転動面の下端部側から下方へ延びた側壁面と、を備え、
前記第２の入賞口は、前記側壁面に配置されており、
前記傾斜転動面に対して遊技球の転動方向の前方に配置された第３の前記入賞口と
前記傾斜転動面から転動してきた遊技球を受け止めて前記第３の入賞口へ向けて誘導可能な複数の誘導釘と、を有すると共に、
前記複数の誘導釘には、最も前記傾斜転動面側に配置されて、前記側壁面との間に遊技球が通過可能な通過開口を有する開口縁釘が備えられて、
前記通過開口を通過した遊技球を前記第２の入賞口へ向けて誘導可能に構成されたことを特徴とする遊技機。
【発明の詳細な説明】
【技術分野】
【０００１】
本発明は、遊技球が入球すると遊技者に特典が付与される入賞口を備えた遊技機に関する。
【背景技術】
【０００２】
従来、この種の遊技機として、通常時は開閉扉によって閉鎖され、大当たり遊技時に開放される大入賞口と、常時開放したサイド入賞口とを備えたものが知られている（例えば、特許文献１参照）。
【先行技術文献】
【特許文献】
【０００３】
【特許文献１】特開２００５−１８５４４１号公報（［００５７］、図１５）
【発明の概要】
【発明が解決しようとする課題】
【０００４】
しかしながら、上述した従来の遊技機では、大入賞口とサイド入賞口のそれぞれに、各入賞口へ入球した遊技球を検出するセンサを備えているため、入賞口の設置スペースが嵩張るという問題があった。
【０００５】
本発明は、上記事情に鑑みてなされたもので、入賞口の設置スペースを節約することが可能な遊技機の提供を目的とする。
【課題を解決するための手段】
【０００６】
上記目的を達成するためになされた請求項１の発明に係る遊技機は、遊技球が流下可能な遊技領域を前面に有した遊技板と、遊技領域内に設けられ、遊技球が入球すると遊技者に特典が付与される入賞口と、を備えた遊技機において、上方に開口した第１の入賞口と、第１の入賞口に隣接して常時開放した第２の入賞口とを有して、第１の入賞口と第２の入賞口に入球した遊技球を共通のセンサで検出する複合入賞装置と、第１の入賞口を開閉する開閉扉と、複合入賞装置の上部に形成され、第１の入賞口を閉じた開閉扉を少なくとも一部に含んで横方向に傾斜し、遊技球を転動させる傾斜転動面と、複合入賞装置の側方側に設けられて、傾斜転動面の下端部側から下方へ延びた側壁面と、を備え、第２の入賞口は、側壁面に配置されており、傾斜転動面に対して遊技球の転動方向の前方に配置された第３の入賞口と傾斜転動面から転動してきた遊技球を受け止めて第３の入賞口へ向けて誘導可能な複数の誘導釘と、を有すると共に、複数の誘導釘には、最も傾斜転動面側に配置されて、側壁面との間に遊技球が通過可能な通過開口を有する開口縁釘が備えられて、通過開口を通過した遊技球が第２の入賞口へ向けて誘導可能に構成されたところに特徴を有する。
【発明の効果】
【０００７】
［請求項１の発明］
請求項１の発明では、第１と第２の入賞口に入球した遊技球は、共通のセンサで検出されるので、第１と第２の入賞口のそれぞれにセンサを設けた場合と比較して、入賞口の設置スペースを節約することが可能になる。また、本発明によれば、開閉扉が、第１の入賞口を閉じた状態の開閉扉を少なくとも一部に含んだ傾斜転動面が、遊技球を転動させるので、開閉扉の有効利用を図ることができる。また、第２の入賞口が、傾斜転動面の下端部側から下方に延びた側壁面に配置されているので、第１の入賞口に遊技球に入球せずに傾斜転動面を転動してきた遊技球が第２の入賞口に入球する期待を遊技者に抱かせることができる。
【０００８】
また、本発明では、開口縁釘と側壁面との間の間隔、即ち、通過開口の幅が狭くなると、第３の入賞口へ向けて誘導される遊技球が増加し、第２の入賞口へ誘導される遊技球が減少する。一方、通過開口の幅が広くなると、第３の入賞口へ誘導される遊技球が減少し、第２の入賞口へ誘導される遊技球が増加する。このように、請求項３の発明によっても、第２と第３の入賞口のうち一方の入賞口への誘導が制限されると、他方の入賞口へ誘導され易くなり、遊技者に不利になることが抑えられる。
【図面の簡単な説明】
【０００９】
【図１】参考例に係るパチンコ遊技機の正面図
【図２】遊技板の正面図
【図３】開閉扉が閉じた状態の複合入賞装置の正断面図
【図４】開閉扉が開いた状態の複合入賞装置の正断面図
【図５】複合入賞装置周辺の正面図
【図６】複合入賞装置周辺の正面図
【図７】複合入賞装置周辺の正面図
【図８】本発明の一実施形態に係る複合入賞装置周辺の正面図
【図９】変形例に係る複合入賞装置を説明するための正断面図
【図１０】変形例に係る複合入賞装置を説明するための正断面図
【発明を実施するための形態】
【００１０】
まず、本実施形態のパチンコ遊技機を説明するための参考例を図１〜図７に基づいて説明する。図１に示すように、本参考例のパチンコ遊技機１０（以下、単に、遊技機１０という。）は、遊技領域Ｒ１を前面に有した遊技板１１を、遊技機１０の前面に開閉可能に取り付けられた前面枠１０Ｚで覆ってなり、その前面枠１０Ｚに形成されたガラス窓１０Ｗを通して、遊技領域Ｒ１の全体が視認可能となっている。なお、遊技領域Ｒ１は、遊技板１１の前面から突出したガイドレール１２に四方を囲まれることで形成されている。
【００１１】
前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。なお、上皿２６に備えた図示しない球排出ボタンを押すと上皿２６に収容されている遊技球が下皿２７へと移動する。
【００１２】
図２に示すように、遊技板１１のうち遊技領域Ｒ１の中央には、遊技板表示窓１１Ｈが貫通形成されており、その遊技板表示窓１１Ｈに遊技板１１の裏面側から表示装置３０が対向している。表示装置３０は、液晶モジュールで構成され、その前面が遊技に関する演出を行う表示画面３０Ｇとなっている。
【００１３】
遊技板１１の前面中央には、表示画面３０Ｇを囲むように表示装飾枠２３が取り付けられている。具体的には、表示装飾枠２３は、遊技板１１の前面側から遊技板表示窓１１Ｈに嵌め込まれて、遊技板表示窓１１Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００１４】
表示装飾枠２３の下辺部には、遊技球が転動可能なステージ２４が形成されている。また、表示装飾枠２３の左側部には、ステージ２４へ遊技球を案内するためのワープ路２２（図２には、ワープ路２２の入口のみが示されている。）が備えられている。
【００１５】
表示装飾枠２３の左側には、一般入賞口２０がガイドレール１２に沿って複数設けられている。また、表示装飾枠２３の左側下方には、風車１９が設けられ、遊技領域Ｒ１の左側を流下してきた遊技球の進路を中央側へ変更可能になっている。
【００１６】
表示装飾枠２３の横方向中央の下方には、第１の始動入賞口１４Ａが設けられ、その第１の始動入賞口１４Ａの右側に、第２の始動入賞口１４Ｂが設けられている。
【００１７】
表示装飾枠２３の右側には、始動ゲート１８が備えられている。また、表示装飾枠２３の右側下方には、大入賞口１５が設けられ、この大入賞口１５と上述した第２の始動入賞口１４Ｂとの間にサイド入賞口２１が備えられている。
【００１８】
また、遊技領域Ｒ１の下端部には、遊技球を遊技領域Ｒ１の外側に排出するためのアウト口１６が設けられている。また、遊技領域Ｒ１には多数の障害釘が植設されている。
【００１９】
次に、遊技領域Ｒ１の各部位についてさらに詳説する。一般入賞口２０は、所謂、ポケット構造をなし、遊技球が１つずつ入ることが可能な大きさで上方に開口している。一般入賞口２０へ入球すると、その遊技球は遊技板１１の裏側に取り込まれ、例えば、１個の入球につき１５個の賞球が上皿２６に払い出される。
【００２０】
始動ゲート１８は、遊技球が潜って通過可能な門形構造をなしている。始動ゲート１８を遊技球が通過すると、普通図柄の当否判定が行われる。ここで、本参考例の遊技機１０では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。従って、本参考例の遊技機１０では、通常の遊技状態においては、表示装飾枠２３の左側を流下するように遊技球を打ち出す、所謂、「左打ち」を行い、「時短遊技」中においては、表示装飾枠２３の右側を流下するように遊技球を打ち出す、所謂、「右打ち」を行う、というように、２種類の打ち方を遊技者に提供可能に構成されている。なお、「時短遊技」は、「大当たり遊技」の終了後、第１と第２の始動入賞口１４Ａ，１４Ｂへの入球回数が、例えば、１００回に達するか、或いは、その「時短遊技」中に「大当たり遊技」へ移行した場合に終了する。
【００２１】
第１の始動入賞口１４Ａは、一般入賞口２０と同様に、ポケット構造になっていて、遊技球が１つずつ入ることが可能な大きさで上方に開口している。なお、上述したステージ２４のうち第１の始動入賞口１４Ａの真上に位置する部分には、球導入路２４Ａが形成されていて、ステージ２４を転動する遊技球は、球誘導路２４Ａから第１の始動入賞口１４Ａへ向けて流下可能となっている。
【００２２】
第２の始動入賞口１４Ｂは、遊技球が１つずつ入ることが可能な大きさで前方に開口し、通常は、回動扉１４Ｔにて前方が閉塞されることで、遊技球の入球が規制されている。回動扉１４Ｔは、上述した普通図柄の当否判定の結果が当たりとなったときに、所定時間だけ前側に倒される。この状態では、回動扉１４Ｔは、遊技球を上面で受け止めて第２の始動入賞口１４Ｂへと誘導可能となっている。
【００２３】
第１と第２の始動入賞口１４Ａ，１４Ｂに遊技球が入球すると、例えば、１個の入球につき４個の賞球が上皿２６に払い出されると共に、特別図柄の当否判定が行われる。その判定結果は、表示装置３０の表示画面３０Ｇにて表示される。
【００２４】
図３に示すように、大入賞口１５は、横長矩形状をなして上方に開放し、通常の遊技状態では、開閉扉１５Ｔにて閉塞されている。開閉扉１５Ｔは、前後方向にスライド可能に構成され、遊技状態が「大当たり遊技」になると、図３から図４への変化に示すように、所定期間に亘って遊技板１１の後側に後退する。すると、大入賞口１５が開放し、大入賞口１５に多くの遊技球が入球可能となる。大入賞口１５に遊技球が入球すると、例えば、１個の入球につき１５個の遊技球が上皿２６に払い出される。なお、開閉扉１５Ｔが開放してから閉じるまでの間を「ラウンド」と称すると、「大当たり遊技」は、最大で、例えば、１６ラウンドまで継続され、１つのラウンドは、開閉扉１５Ｔの開放時間が３０秒に達したか、又は、大入賞口１５に遊技球が１０個入球したか、の何れかの終了条件が先に満たされた場合に終了する。
【００２５】
サイド入賞口２１は、遊技球が１つずつ入球可能な大きさで左側方に開口し、常時開放している。サイド入賞口２１に遊技球が入球すると、一般入賞口２０と同様に、例えば、１個の入球につき１５個の賞球が上皿２６に払い出される。
【００２６】
上述した各入賞口１４Ａ，１４Ｂ，１５，２０，２１の何れにも入賞しなかった遊技球は、アウト口１６に全て取り込まれる。アウト口１６は、遊技領域Ｒ１の下端部に配置されて、前方に開口している。アウト口１６に取り込まれた遊技球は、図示しない球回収装置に回収される。
【００２７】
なお、本参考例では、大入賞口１５が本発明の「第１の入賞口」に相当し、サイド入賞口２１が本発明の「第２の入賞口」に相当する。また、第２の始動入賞口１４Ｂが、本発明の「第３の入賞口」に相当する。
【００２８】
ところで、図３に示すように、本参考例の遊技機１０では、サイド入賞口２１と大入賞口１５とは、共に、複合入賞装置５０に設けられている。この複合入賞装置５０は、大入賞口１５及びサイド入賞口２１に入球した遊技球を遊技板１１の裏側へと排出する球排出路５１Ｒを有したハウジング５１に開閉扉１５Ｔを組み付けてなり、遊技領域Ｒ１（図２参照）の右下隅に配置されている。
【００２９】
具体的には、ハウジング５１は、前後方向に扁平な略台形状をなし、右側部と下部とに、遊技板１１の後面に重ねて固定される取付片５１Ａを備えている。また、ハウジング５１の上面５１Ｍは、遊技領域Ｒ１の横方向の中央側（図３の左側）へ向かって下るように傾斜している。そして、遊技領域Ｒ１（図２参照）の右側を流下してきた遊技球は、ハウジング５１の上面５１Ｍに受け止められて左側へ転動可能となっている。
【００３０】
大入賞口１５は、ハウジング５１の上面５１Ｍの左側寄り位置に配置されて上方に開放している。また、開閉扉１５Ｔは、ハウジング５１の上部に前後方向にスライド可能に組み付けられている。開閉扉１５Ｔは、遊技領域Ｒ１における左右方向の中央側へ向かって下るように傾斜し、ハウジング５１の上面５１Ｍと略面一になっている。従って、開閉扉１５Ｔが大入賞口１５を閉じた状態では、遊技領域Ｒ１の右側を流下してきた遊技球は、大入賞口１５へは入球せずに開閉扉１５Ｔに下方から受け止められて左側へ転動し、遊技領域Ｒ１の左右方向の中央側へと向かう。このように、本参考例では、開閉扉１５Ｔが大入賞口１５を閉じたときに、ハウジング５１の上面５１Ｍと開閉扉１５Ｔの上面１５Ｍとによって本発明の傾斜転動面５２がハウジング５１（複合入賞装置５０）の上部に形成されている。
【００３１】
詳細には、ハウジング５１の上面５１Ｍのうち大入賞口１５より右側に配置された右側傾斜部５３Ａが、開閉扉１５Ｔの上面と略面一になっていて、上面５１Ｍのうち大入賞口１５より左側に配置された左側傾斜部５３Ｂの上端は、開閉扉１５Ｔの下面の下端と同じ高さに配置されている。また、左側傾斜部５３Ｂは、右側傾斜部５３Ａよりも傾斜が急になっている。
【００３２】
また、ハウジング５１の左側部には、左側傾斜部５３Ｂの下端から略鉛直下方に延びた側壁面５４が設けられている。そして、この側壁面５４に、サイド入賞口２１が配置されている。なお、本参考例では、サイド入賞口２１が左側傾斜部５３Ｂの下端部にも配置されている。
【００３３】
図３に示すように、ハウジング５１内に形成された球排出路５１Ｒは、下流側の端部がハウジング５１の後面で開口した共通排出路５６の上流側の端部に、大入賞口１５に連通した第１流路５７と、サイド入賞口２１に連通した第２流路５８と、が連通した構造になっている。そして、共通排出路５６の中間部に、センサ５５が配置されることで、大入賞口１５とサイド入賞口２１に入球した遊技球が共通のセンサ５５で検出されるようになっている。これにより、本参考例では、サイド入賞口２１に入球すると、大入賞口１５に入球したときと同じ個数の遊技球が上皿に払い出される。
【００３４】
このように、本参考例では、大入賞口１５とサイド入賞口２１に入球した遊技球は、共通のセンサ５５で検出されるので、大入賞口１５とサイド入賞口２１のそれぞれにセンサを設けた場合と比較して、入賞口の設置スペースを節約することが可能になる。また、本実施形態では、大入賞口１５に入球したときとサイド入賞口２１に入球したときとで、遊技者に付与される特典が同じとなるので、開閉扉１５Ｔが開いたときには、大入賞口１５とサイド入賞口２１の何れに入球しても、遊技者には同じ特典が付与される。これにより、大入賞口１５をサイド入賞口２１の分だけ小さくしても、遊技者に不利となることが抑えられる。
【００３５】
ところで、図５に示すように、複合入賞装置５０の左側、即ち、傾斜転動面５２に対して遊技球の転動方向の前方には、上述した第２の始動入賞口１４Ｂが配置されている。そして、開閉扉１５Ｔが大入賞口１５を閉じた状態では、傾斜転動面５２を転動してきた遊技球は、第２の始動入賞口１４Ｂへ向かって流下する。
【００３６】
また、複合入賞装置５０と第２の始動入賞口１４Ｂとの間には、傾斜転動面５２を転動してきた遊技球を受け止めて第２の始動入賞口１４Ｂへ向けて誘導する複数の誘導釘６０が配置されている。
【００３７】
複数の誘導釘６０は、傾斜転動面５２の下端と第２の始動入賞口１４Ｂとの間に配置され、傾斜転動面５２側で遊技球が通過できない大きさの間隔をあけて直線状に並べられた第１誘導釘群６１Ｇと、第２の始動入賞口１４Ｂの右側で遊技球が通過できない大きさの間隔をあけて直線状に並べられかつ第１誘導釘群６１Ｇから遊技球が１つ通過する分の間隔Ｌ１をあけて配置された第２誘導釘群６２Ｇと、からなる。
【００３８】
なお、本参考例では、第１誘導釘群６１Ｇの最も下流側、即ち、第２の始動入賞口１４Ｂに最も近い側の誘導釘６０と、第２誘導釘群６２Ｇの最も上流側、即ち、傾斜転動面５２に最も近い側の誘導釘６０とによって、本発明の１対の開口縁釘６３Ａ，６３Ｂが構成されている。また、図５では、１対の開口縁釘６３Ａ，６３Ｂのうち上流側に配置された開口縁釘に符号６３Ａが、下流側に配置された開口縁釘に符号６３Ｂが付されている。
【００３９】
詳細には、図３に示すように、第１誘導釘群６１Ｇは、ハウジング５１の上面５１Ｍの左側傾斜部５３Ｂの上方に配置され、開閉扉１５Ｔの上面１５Ｍを転動してきた遊技球を受け止め可能となっている。即ち、本参考例では、遊技球は、傾斜転動面５２のうちハウジング５１の右側傾斜部５３Ａと、開閉扉１５Ｔの上面１５Ｍとを転動可能になっている。そして、傾斜転動面５２（開閉扉１５Ｔの上面１５Ｍ）を転動してきた遊技球は、第１誘導釘群６１Ｇによって第２の始動入賞口１４Ｂ側へ誘導されるようになっている。なお、図５に示すように、左側傾斜部５３Ｂは、大入賞口１５開口縁から第２の始動入賞口１４Ｂへ向かって直線状に延びていて、第１誘導釘群６１Ｇは、左側傾斜部５３Ｂに沿って配置されている。
【００４０】
ここで、１対の開口縁釘６３Ａ，６３Ｂの間隔が狭い場合には、図６に示すように、１対の開口縁釘６３Ａ，６３Ｂの間の通過開口６５を通過する遊技球が減少し、第２の始動入賞口１４Ｂへと誘導される遊技球が増加する。その結果、第２の始動入賞口１４Ｂへ遊技球が入球し易くなる。
【００４１】
一方、１対の開口縁釘６３Ａ，６３Ｂの間隔が広い場合には、図７に示すように、傾斜転動面５２を転動してきた遊技球は、通過開口６５を通過する遊技球が増加し、第２の始動入賞口１４Ｂへ向かう遊技球が減少する。このとき、同図に示すように、傾斜転動面５２を転動してきた遊技球の一部は、下流側の開口縁釘６３Ｂと衝突して複合入賞装置５０側へと向かう。そして、その遊技球がサイド入賞口２１の右側下方に配置されたサイド誘導釘６４に上方から衝突すると、遊技球はサイド入賞口２１へ入球する。
【００４２】
即ち、本参考例では、１対の開口縁釘６３Ａ，６３Ｂの間の間隔が狭くなると、第２の始動入賞口１４Ｂへ誘導される遊技球が増加し、サイド入賞口２１へ誘導される遊技球が減少する。反対に、１対の開口縁釘６３Ａ，６３Ｂの間の間隔が広くなると、第２の始動入賞口１４Ｂへ誘導される遊技球が減少し、サイド入賞口２１へ誘導される遊技球が増加する。このように、本参考例によれば、第２の始動入賞口１４Ｂとサイド入賞口２１のうち一方の入賞口への誘導が制限されると、他方の入賞口へ誘導されやすくなり、遊技者に不利になることが抑えられる。
【００４３】
本参考例の遊技機１０の構成に関する説明は以上である。次に、本発明の一実施形態を図８に基づいて説明する。
【００４４】
本実施形態の遊技機１０は、上記参考例を変形したものであり、図８に示すように、第１誘導釘群６１Ｇを備えずに、第２誘導釘群６２Ｇと壁面５４（側壁面５４）との間に通過開口６５を備えた構成となっている。なお、本実施形態では、第２誘導釘群６２Ｇの最も上流側の誘導釘６０が、本発明の開口縁釘６３となっている。また、左側傾斜部５３Ｂの上端は、開閉扉１５Ｔの上面１５Ｍの下端と同じ高さに配置され、遊技球は、傾斜転動面５２全体（右側傾斜部５３Ａ、開閉扉１５Ｔの上面１５Ｍ及び左側傾斜部５３Ｂ）を転動可能となっている。本実施形態のその他の構成については上記参考例と同一符号を付すことで省略する。
【００４５】
本実施形態の遊技機１０の構成に関する説明は以上である。次に、遊技機１０の作用効果について説明する。
【００４６】
遊技機１０では、遊技者により操作ハンドル２８が操作されると、遊技球が遊技領域Ｒ１に順次打ち込まれる。通常の遊技状態では、遊技球が始動ゲート１８を通過したことを契機に、回動扉１４Ｔが開状態となる確率が低くなっているため、多くの場合、左打ちが行われる。そして、ランダムに流下した遊技球の一部が第１の始動入賞口１４Ａに入球すると、その入球に基づいて大当たり遊技の当否判定が行われ、その判定結果が当たりであると、大当たり遊技が実行される。
【００４７】
大当たり遊技が開始されると、複合入賞装置５０の開閉扉１５Ｔが開き、大入賞口１５へ遊技球が入球可能となる。そして、右打ちが行われて、遊技球が遊技領域Ｒ１の右側を流下すると、その遊技球は、複合入賞装置５０の傾斜転動面５２（右側傾斜部５３Ａ）に受け止められて大入賞口１５へ誘導される。
【００４８】
大当たり遊技が終了すると、時短遊技が開始される。この時短遊技では、遊技球が始動ゲート１８を通過したことを契機に、回動扉１４Ｔが開状態となる確率が高くなっているので、多くの場合、右打ちが行われる。
【００４９】
時短遊技では、大入賞口１５の開閉扉１５Ｔは閉じているので、遊技球は、傾斜転動面５２（詳細には、開閉扉１５Ｔの上面１５Ｍと右側傾斜部５３Ａ）を転動し、複数の誘導釘６０によって第２の始動入賞口１４Ｂへと誘導される。このとき、複数の誘導釘６０のうち開口縁釘６３と、壁面５４との間を遊技球が通過すると、その遊技球の一部は、サイド誘導釘６４によってサイド入賞口２１へ誘導される。
【００５０】
ここで、本実施形態の遊技機１０では、大入賞口１５とサイド入賞口２１に入球した遊技球は、共通のセンサ５５で検出されるので、大入賞口１５とサイド入賞口２１のそれぞれにセンサを設けた場合と比較して、入賞口の設置スペースを節約することが可能になる。
【００５１】
また、本実施形態によれば、大入賞口１５を閉じた状態の開閉扉１５Ｔを少なくとも一部に含んだ傾斜転動面５２が、遊技球を受け止めて転動させるので、開閉扉１５Ｔの有効利用を図ることができる。また、サイド入賞口２１が、傾斜転動面５２の下端から下方に延びた側壁面５４に配置されているので、大入賞口１５に入球せずに傾斜転動面５２を転動してきた遊技球がサイド入賞口２１に入球する期待を遊技者に抱かせることができる。
【００５２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５３】
（１）上記実施形態では、開閉扉１５Ｔは、前後方向にスライドする構成であったが、大入賞口１５の後端縁を中心にして下方に回動する構成であってもよい。
【００５４】
（２）下流側の開口縁釘６３Ｂの下方に、通過開口６５を通過した遊技球をサイド入賞口２１側へと誘導する複数の誘導釘６６を備えてもよい。なお、図９では、上記参考例に当該変更を実施した構成が示されているが、本実施形態に同様の変更を実施することも可能である。
【００５５】
（３）上記実施形態では、傾斜転動面５２が、ハウジング５１の傾斜面５１Ｍと、開閉扉１５Ｔの上面１５Ｍと、迫出部５３の迫出面５３Ｂとで構成されていたが、傾斜転動面５２は、開閉扉１５Ｔの上面１５Ｍだけで構成されてもよい。なお、図１０では、上記参考例に当該変更を実施した構成が示されているが、本実施形態に同様の変更を実施することも可能である。
【００５６】
（４）上記実施形態では、本発明に係る第１の入賞口が、大当り遊技の実行時に開放される大入賞口１５であったが、入球を契機に大当り遊技の当否判定が行われる始動入賞口であってもよい。
【００５７】
（５）上記実施形態では、開閉扉１５Ｔが、ハウジング５１の上面５１Ｍの左側より位置に配置されていたが、右側より位置に配置されていてもよい。即ち、この構成では、開閉扉１５Ｔの上面１５Ｍが傾斜転動面５２の右側寄りに配置されている。
【００５８】
［上記実施形態及び参考例の構成のまとめ］
上記実施形態及び参考例には、以下の［１］〜［３］の構成が含まれている。
【００５９】
［１］遊技球が流下可能な遊技領域を前面に有した遊技板と、前記遊技領域内に設けられ、遊技球が入球すると遊技者に特典が付与される入賞口と、を備えた遊技機において、上方に開口した第１の前記入賞口と、前記第１の入賞口に隣接して常時開放した第２の前記入賞口とを有して、前記第１の入賞口と前記第２の入賞口に入球した遊技球を共通のセンサで検出する複合入賞装置と、前記第１の入賞口を開閉する開閉扉と、前記複合入賞装置の上部に形成され、前記第１の入賞口を閉じた前記開閉扉を少なくとも一部に含んで横方向に傾斜し、遊技球を転動させる傾斜転動面と、前記複合入賞装置の側方側に設けられて、前記傾斜転動面の下端部側から下方へ延びた側壁面と、を備え、前記第２の入賞口は、前記側壁面に配置されたことを特徴とする遊技機。
【００６０】
［１］の構成では、第１と第２の入賞口に入球した遊技球は、共通のセンサで検出されるので、第１と第２の入賞口のそれぞれにセンサを設けた場合と比較して、入賞口の設置スペースを節約することが可能になる。また、本構成によれば、開閉扉が、第１の入賞口を閉じた状態の開閉扉を少なくとも一部に含んだ傾斜転動面が、遊技球を転動させるので、開閉扉の有効利用を図ることができる。また、第２の入賞口が、傾斜転動面の下端部側から下方に延びた側壁面に配置されているので、第１の入賞口に遊技球に入球せずに傾斜転動面を転動してきた遊技球が第２の入賞口に入球する期待を遊技者に抱かせることができる。
【００６１】
［２］前記傾斜転動面に対して遊技球の転動方向の前方に配置された第３の前記入賞口と、前記傾斜転動面から転動してきた遊技球を受け止めて前記第３の入賞口へ向けて誘導可能な複数の誘導釘と、を有すると共に、前記複数の誘導釘には、遊技球が通過可能な間隔をあけて配置された１対の開口縁釘が備えられ、前記１対の開口縁釘の間を通過した遊技球を前記第２の入賞口へ誘導可能に構成されたことを特徴とする［１］に記載の遊技機。
【００６２】
［２］の構成では、複数の誘導釘によって第３の入賞口へ誘導される遊技球が、１対の開口縁釘の間を通過しない場合には、そのまま第３の入賞口へと誘導され、１対の開口縁釘の間を通過する場合には、第２の入賞口へと誘導される。ここで、１対の開口縁釘の間の間隔が狭くなると、第３の入賞口へ誘導される遊技球が増加し、第２の入賞口へ誘導される遊技球が減少する。一方、１対の開口縁釘の間の間隔が広くなると、第３の入賞口へ誘導される遊技球が減少し、第２の入賞口へ誘導される遊技球が増加する。このように、本発明によれば、第２と第３の入賞口の一方の入賞口への誘導が制限されると、他方の入賞口へ誘導され易くなり、遊技者に不利になることが抑えられる。
【００６３】
［３］
前記傾斜転動面に対して遊技球の転動方向の前方に配置された第３の前記入賞口と、前記傾斜転動面から転動してきた遊技球を受け止めて前記第３の入賞口へ向けて誘導可能な複数の誘導釘と、を有すると共に、前記複数の誘導釘には、最も前記傾斜転動面側に配置されて、前記側壁面との間に遊技球を通過可能な通過開口を有する開口縁釘が備えられて、前記通過開口を通過した遊技球を前記第２の入賞口へ向けて誘導可能に構成されたことを特徴とする［１］に記載の遊技機。
【００６４】
［３］の構成では、開口縁釘と側壁面との間の間隔、即ち、通過開口の幅が狭くなると、第３の入賞口へ向けて誘導される遊技球が増加し、第２の入賞口へ誘導される遊技球が減少する。一方、通過開口の幅が広くなると、第３の入賞口へ誘導される遊技球が減少し、第２の入賞口へ誘導される遊技球が増加する。このように、請求項３の発明によっても、第２と第３の入賞口のうち一方の入賞口への誘導が制限されると、他方の入賞口へ誘導され易くなり、遊技者に不利になることが抑えられる。
【符号の説明】
【００６５】
１０    パチンコ遊技機（遊技機）
１１    遊技板
１４Ｂ    第２の始動入賞口（第３の入賞口）
１５    大入賞口（第１の入賞口）
１５Ｔ    開閉扉
２１    サイド入賞口（第２の入賞口）
５０    複合入賞装置
５２    傾斜転動面
５４    側壁面
５５    センサ
６０    誘導釘
６３    開口縁釘
６４    壁面
６５    通過開口
【図２】
0005934894.tif 000002
【図３】
0005934894.tif 000003
【図４】
0005934894.tif 000004
【図５】
0005934894.tif 000005
【図６】
0005934894.tif 000006
【図７】
0005934894.tif 000007
【図８】
0005934894.tif 000008
【図９】
0005934894.tif 000009
【図１０】
0005934894.tif 000010
【図１】
0005934894.tif 000011